(57)【特許請求の範囲】
【請求項１】
脱水槽１の上部に設けた水切体上に沈殿槽等から排出された砂を供給す
る砂供給装置と、水切体上の砂を排出端まで移送する移送装置５と、脱水槽１における水
切体２の下を負圧状態として水切体上の砂間の水を脱水槽内に吸引する真空吸引装置とを
含む脱水機において、移送装置５は水切体２の上に間隔を置いて配置した砂の移送板５３
をエンドレス走行させる様にし、水切体２の下には高圧ポンプ８０の吐出側に連結した洗
浄管８２を配置し、高圧水を水切体２の下に噴射することで水切体２の目詰まりを除去す
ることを特徴とする砂の脱水機における水切体の洗浄装置。
【請求項２】
洗浄管を移動可能とした請求項１の洗浄装置。
【発明の詳細な説明】
【０００１】
【発明の属する技術分野】
本発明は、沈殿槽等から排出された砂の脱水機における水切体の洗浄装置に関するものである。
【０００２】
【従来の技術】
従来の沈殿槽等から排出された砂は含水率が多く後処理に欠点があることから、本発明者がその砂をさらに真空吸引で砂間の水分を強制脱水する脱水機を発明したのであるが、真空吸引による吸引で水切体に目詰まりが生じ易くなる問題点が考えられるのである。
【０００３】
【発明が解決しようとする課題】
そこで本発明は、水切体の目詰まりを解消して真空吸引を良好に確保できる砂の脱水機における水切体の洗浄装置を提供するものである。
【０００４】
【課題を解決するための手段】
このため本発明は、脱水槽の上部に設けた水切体上に沈殿槽等から排出された砂を供給する砂供給装置と、水切体上の砂を排出端まで移送する移送装置と、脱水槽における水切体の下を負圧状態として水切体上の砂間の水を脱水槽内に吸引する真空吸引装置とを含む脱水機において、移送装置は水切体の上に間隔を置いて配置した砂の移送板をエンドレス走行させる様にし、水切体の下には高圧ポンプの吐出側に連結した洗浄管を配置し、高圧水を水切体の下に噴射することで水切体の目詰まりを除去する構成の砂の脱水機における水切体の洗浄装置である。なお、洗浄管を移動可能としてもよい。
【０００５】
【発明の実施の形態】
以下、本発明の詳細を図示した形態例で説明する。図１乃至図３で示す形態例において、１は細長い脱水槽であり、一側端部寄りに上端から仕切板１０を上部まで垂下させてその一側部上端を閉塞すると共に、他側上端を開口させ、その開口部に水切体２を被着して閉塞している。
【０００６】
脱水槽１の仕切板１０寄りの側胴上部には、真空装置としてのブロア３に連結した吸引配管３１が開口接続してある。また、脱水槽１の下端には長い水位保持管１２を垂下連設してその下端を貯水槽４内に臨ませ、貯水槽４の下部には排水ポンプ４０に連結した排水管４１が開口接続してある。なお、貯水槽４の満水位を検知して排水ポンプ４０を作動制御する液面検知器４３が設けてあり、また補給水管１５が貯水槽４に臨ませている。
【０００７】
水切体２は、図４のように、下端を巾狭状にした細長いステンレス棒体２０を僅かな間隙をおいて多数並列させたものであり、その間隙は、載置した砂が落下しないで水切りができる間隙である。
【０００８】
５は砂の移送装置であって、モータ５０でエンドレスに反転走行する一対のチエン５１間に取付桿５２を等間隔に固着し、開放端が鋸歯状の移送板５３を該取付桿５２に固着している。なお、６は砂の投入ホッパ、７は移送された脱水砂の排出コンベアである。
【０００９】
本例で特徴ある構成は水切体２の洗浄装置８を備えたことであり、高圧ポンプ８０の吐出側に接続した供給管８１に洗浄管８２を複数分岐接続させて脱水槽１内における水切体２の下に複数の洗浄管８２を水平状態に配置するのである。なお、夫々の洗浄管８２には上端にノズル噴出孔が穿設され、また高圧ポンプ８０の吸込側には清水槽８４に接続した給水管８５が接続してある。
【００１０】
次に本例の作用を説明すると、投入ホッパ６から水切体２の一側端上に砂９が供給され、モータ５０の回転で移送板５３が走行するため、砂９が水切体２上を移動して他側端に送られ、排出コンベア７に落下して排出されるのである。
【００１１】
この際、ブロア３による吸引で連通している脱水槽１内が負圧状態となるため、水切体２上に載置された砂間の水分が脱水槽１内に吸引されるのである。即ち、真空吸引によって水切体２上の砂間から外部の空気が脱水槽１内に吸引され吸引配管３１から排気されることで砂間の水が分離されて吸引されるのである。これにより、砂９が脱水され含水率の少ない砂が得られるのである。
【００１２】
吸引された水は脱水槽１から貯水槽４に貯留され、水位が所定上位置まで上がると液面検知器４３が検知て排水ポンプ４０を作動させて排水管４１から排水し、水位が所定下位置まで下がると排水ポンプ４０を停止させて排水を止めるのである。なお、補給水管１５は貯水槽４に補給水することによって脱水槽１内の水位をある程度一定に保持するのであり、真空吸引を良好に確保できるのである。
【００１３】
本例で特徴あることは、真空吸引によって水切体２が目詰まりを生じやすいのであり、目詰まりを生じた場合、高圧ポンプ８０を駆動して清水槽８４からの給水を供給管８１に圧送し、洗浄管８２のノズル噴出孔から高圧水を水切体２に向けて噴射するのである。これにより、図４のように、夫々の棒体２０間に挟持された砂が高圧水で払拭されて目詰まりが除去されるのである。なお、その際ある程度の砂９が貯水槽４に落下するが水と共に排出されるため支障はない。
【００１４】
本形態例は上記の構成としたが、本発明においてはこれに限定されない。例えば、脱水槽の形状や大きさは問わない。また、水切体の構成も限定されず、網状体でもよく、或いは上下方向に撓む棒体を間隙のないよう並列させて構成してもよい。さらに、水切体上に供給された砂を排出側に移送する砂移送装置も適宜である。また、脱水槽内における水切体の下を負圧にして砂間の残留水分を脱水槽内に吸引する真空吸引装置も任意である。
【００１５】
さらに、水切体の洗浄装置としては、高圧ポンプの吐出側に連結した洗浄管を脱水槽内における水切体の下に配置することで高圧水を水切体の下に噴射して水切体の目詰まりを除去できればよい。このため、図５のように、洗浄管８２を分岐させる供給管８１をシリンダ８６で砂の移送方向に可逆移動可能に構成してもよく、これによると少ない洗浄管８２で均一に目詰まりを除去できるのである。
【００１６】
【発明の効果】
本発明の請求項１によると、洗浄管からの高圧水の噴射により水切体に目詰まりしている砂が払拭されて目詰まりが除去され、真空吸引が良好に保持できるのである。また、請求項２では、少ない洗浄管で均一に目詰まりを除去できるのである。
【図面の簡単な説明】
【図１】本発明の一形態例の縦断正面図である。
【図２】その一部切欠した拡大平面図である。
【図３】その縦断側面図である。
【図４】水切体に高圧水を噴射させている要部拡大縦断側面図である。
【図５】別例の洗浄装置の斜視図である。
【符号の説明】
１    脱水槽
２    水切体
３    ブロア
４    貯水槽
４０  排水ポンプ
５    砂の移送装置
５３  移送板
８    洗浄装置
８０  高圧ポンプ
８２  洗浄管
８４  清水槽
【図１】
0003657760.tif 000002
【図２】
0003657760.tif 000003
【図３】
0003657760.tif 000004
【図４】
0003657760.tif 000005
【図５】
0003657760.tif 000006